(57)【要約】  【課題】  絵画等の展示物を容易に装着することができる額縁を提供する。  【解決手段】  本発明に係る額縁は、矩形状の基台３と、基台３上に配置される透明の保護カバー５と、基台３及び保護カバー５の周縁に配置される矩形状の枠体７とを備え、枠体７が、各辺を構成する４つの縁部材９〜１２で形成され、４つの縁部材のうち、一の縁部材９が基台３に固定されるとともに、他の縁部材１０〜１２が保護カバー５に固定されており、一の縁部材９とその両側に配置される２つの縁部材１０，１１とが着脱自在に接続されている。【選択図】  図１
2007021005.tif 000002
【特許請求の範囲】
【請求項１】
矩形状の基台と、
前記基台上に配置される透明の保護カバーと、
前記基台及び保護カバーの周縁に配置される矩形状の枠体とを備え、
前記枠体は、各辺を構成する４つの縁部材で形成され、
前記４つの縁部材のうち、一の縁部材が前記保護カバー又は基台の一方に固定されるとともに、他の縁部材が前記保護カバー又は基台の他方に固定されており、
前記一の縁部材とその両側に配置される２つの縁部材とは着脱自在に接続されている、額縁。
【請求項２】
前記一の縁部材の両側に配置される縁部材には溝が形成されており、前記保護カバー又は基台の周縁部は、前記溝にスライド可能に係合している、請求項１に記載の額縁。
【請求項３】
前記枠体の４つの角部には、隣接する縁部材を互いに接続する接続部材が着脱可能に取り付けられており、
前記各接続部材には、紐を通すための孔が形成されている、請求項１または２に記載の額縁。
【請求項４】
前記接続部材は、前記角部に沿うＬ字形に形成され、
前記各接続部材における両端部の少なくとも一方に、紐を通すための孔が形成されている、請求項３に記載の額縁。
【発明の詳細な説明】
【技術分野】
【０００１】
本発明は、絵画、写真、ポスターなどの展示物を収納する額縁に関する。
【背景技術】
【０００２】
従来の額縁では、背面の蓋を取り外した後、絵画等の展示物を額縁に装着していた。このため、展示物の装着に時間がかかるという問題があった。これを解決するため、特許文献１に示されるように、枠体を外側に倒すことで、展示物の着脱を行う額縁が提案されている。
【特許文献１】実公平８−８６８４号公報
【発明の開示】
【発明が解決しようとする課題】
【０００３】
しかしながら、特許文献１に記載の額縁では、絵画等を装着するのに際し、枠体の４辺を全て外側に倒した後、絵画等を装着する必要があるため、操作が面倒であった。
【０００４】
本発明は、上記問題を解決するためになされたものであり、絵画等の展示物を容易に装着することができる額縁を提供することを目的とする。
【課題を解決するための手段】
【０００５】
本発明に係る額縁は、上記問題を解決するためになされたものであり、矩形状の基台と、前記基台上に配置される透明の保護カバーと、前記基台及び保護カバーの周縁に配置される矩形状の枠体とを備え、前記枠体は、各辺を構成する４つの縁部材で形成され、前記４つの縁部材のうち、一の縁部材が前記保護カバー又は基台の一方に固定されるとともに、他の縁部材が前記保護カバー又は基台の他方に固定されており、前記一の縁部材とその両側に配置される２つの縁部材とは着脱自在に接続されている。
【０００６】
上記額縁において、上述した一の縁部材の両側に配置される縁部材に溝を形成し、保護カバー又は基台の周縁部を、溝にスライド可能に係合させることが好ましい。
【０００７】
また、枠体の４つの角部に、隣接する縁部材を互いに接続する接続部材を着脱可能に取り付け、各接続部材に紐を通すための孔を形成することが好ましい。このとき、接続部材を角部に沿うＬ字形に形成し、各接続部材における両端部の少なくとも一方に、紐を通すための孔を形成することが好ましい。
【発明の効果】
【０００８】
本発明に係る額縁によれば、絵画等の展示物を容易に装着することができる。
【発明を実施するための最良の形態】
【０００９】
以下、本発明に係る額縁の一実施形態について図面を参照しつつ説明する。図１は本実施形態に係る額縁の斜視図（ａ）及び分解斜視図（ｂ）である。
【００１０】
図１に示すように、この額縁１は、絵画、ポスター、写真などの展示物Ｍを載せる矩形状の基台３と、基台３上の展示物Ｍを覆う透明の保護カバー５とを備えている。基台３は厚紙などをシート状に形成したものであるが、ある程度の強度を有しているものであれば、プラスチックや発泡材などのシートで形成することもできる。また、保護カバー５は、シート状のプラスチックなどで形成されている。
【００１１】
保護カバー５は基台３とほぼ同じ大きさの矩形状であり、展示物Ｍは、基台３と保護カバー５との間に挟まれた状態となる。そして、基台３及び保護カバー５の周縁には、矩形状の枠体７が取り付けられている。この枠体７は、４つの辺をそれぞれ構成する縁部材、つまり第１，第２、第３及び第４縁部材９，１０，１１，１２から構成されている。対向する第１及び第４縁部材９，１２は短辺であり、第２及び第３縁部材１０，１１よりも短く形成されている。また、各縁部材９〜１２の内側には基台３及び保護カバー８の周縁が係合する溝１４が形成されている。
【００１２】
枠体７の４つの角部には、隣接する縁部材９〜１２を互いに連結する接続部材１３が着脱可能に取り付けられている。接続部材１３は、プラスチックなどの弾性部材で構成され、角部に沿うようにＬ字形に形成されている。また、接続部材１３は中空に形成され、基台３側を向く内側及び各縁部材側９〜１２を向く端部側に開口が形成されている。これにより、接続部材１３には、角部に沿うようにＬ字形に延びる溝１５が形成され、この溝１５に基台３と保護カバー５の角部、及び各縁部材９〜１２の端部が係合する。
【００１３】
図２は、図１のＡ−Ａ線断面図である。上述したように、各縁部材９〜１２の端部は接続部材１３の端部側から溝１５に係合している。溝１５の基台側の開口端縁には係止片１７が形成されており、この係止片１７が縁部材９〜１２に係止することで縁部材９〜１２の抜け止めの役割を果たしている。接続部材１３を取り外すには、手などで溝１５を押し広げ、係止片１７と縁部材９〜１２との係止状態を解除した後、接続部材１３を縁部材９〜１２から取り外す。また、図１に示すように、接続部材１３の両端部のうち、いずれか一方には、屈曲可能な舌片１９が設けられている。舌片１９は縁部材９〜１２の外面に沿って延びるように取り付けられており、各舌片１９には紐を通すための孔１９ａが形成されている。ここで、例えば図５に示すように、各縁部材９〜１２を挟む２つの接続部材１３を、舌片１９が向き合うように配置すると、向き合う舌片１９の孔１９ａに紐を通して結ぶことにより、この紐４１によって額縁１を壁等にかけることができる。
【００１４】
図３は図１のＢ−Ｂ線断面図であり、図４は図１のＣ−Ｃ線断面図である。図３に示すように、第１縁部材９と基台３とは固定されている。より詳細には、基台３の一辺の裏面と、第１縁部材９の溝１４における下側の内壁面１４ａとが、接着剤などで固定されている。一方、残りの３つの縁部材１０〜１２は保護カバー５に固定されている。図４に示すように、保護カバー５の３つの辺それぞれと３つの縁部材１０〜１２の溝１４における上側の内壁面１４ｂとが接着剤などで固定されている。上記構成により、第１縁部材９以外の３つの縁部材１０〜１２と基台３とは固定されていないため、図１（ｂ）に示すように、基台３は、第２，第３縁部材１０，１１の溝１４に係合しながらスライド可能となっている。
【００１５】
次に、上述した額縁に絵画などを装着する方法について説明する。まず、図１（ａ）の状態から第１縁部材９の両側に取り付けられた接続部材１３を取り外す。取り外し方法は上述したとおりである。続いて、図１（ｂ）に示すように、第１縁部材９を引っ張りながら基台３をスライドさせる。このとき、第１縁部材９と基台３とが一体となって額縁から取り外される。そして、基台３上に絵画などを装着する。この場合、絵画を単に載せるだけでもよいし、接着剤などで貼り付けてもよい。これに続いて、基台３を第２，第３縁部材１０，１１の溝１４に係合させながらスライドさせ、元の位置に戻す。最後に、接続部材１３の溝１５を押し広げながら、第１縁部材９の両端それぞれと、第２及び第３縁部材１０，１１とを接続する。
【００１６】
ここで、図１の状態では、第１縁部材９の両端に配置された２つの接続部材１３は、舌片１９が互いに向き合った状態となっている。そのため、これらの舌片１９の孔１９ａに紐４１を通して舌片同士を結べば、図５（ａ）に示すように、第１縁部材９が上方に位置する縦長の状態で額縁１を壁などに飾ることができる。一方、長辺である第２又は第３縁部材１０，１１が水平方向に延びる横長の状態で額縁を飾りたい場合には、図５（ａ）に示す状態から、第１縁部材９と第２縁部材１０とを接続する接続部材１３を取り外し、図５（ｂ）に示すように、舌片１９が第２縁部材１０側を向くようにして再び第１及び第２縁部材９，１０に取り付ける。こうすることで、第２縁部材１０の両側に配置された接続部材１３の舌片１９が互いに向き合い、この状態で向き合った舌片１９を紐４１で結べば、第２縁部材１０が上方に位置する横向きの状態で額縁を飾ることができる。
【００１７】
以上のように、本実施形態によれば、基台３と第１縁部材９とを固定するとともに、保護カバー５と他の縁部材１０〜１２とを固定し、基台３を第２及び第３縁部材１０，１１に対してスライド可能に係合している。そのため、第１縁部材９と第２及び第３縁部材１０，１１とを接続する接続部材１３を取り外した後、第１縁部材９を引っ張れば、基台３を額縁１から簡単に取り外すことができる。この状態で基台３に展示物Ｍを配置した後、基台３を第２及び第３縁部材１０，１１にスライドさせつつ元の位置に戻せば、展示物Ｍが自動的に保護カバー５に覆われる。したがって、展示物Ｍの装着を簡単に行うことができる。
【００１８】
また、接続部材１３に設けられた舌片の向きを変えることで、図５（ａ）及び図５（ｂ）に示すように、展示物Ｍの向きに応じて額縁１を縦長或いは横長のいずれの状態にでも飾ることができる。
【００１９】
以上、本発明の一実施形態について説明したが、本発明は上記実施形態に限定されるものではなく、その趣旨を逸脱しない限りにおいて種々の変更が可能である。例えば、上記実施形態では、基台３を第２及び第３縁部材１０，１１に対してスライド可能に係合させているが、これに限定されるものではなく、基台３が第１縁部材９以外の第２〜第４縁部材１０〜１２に対して着脱可能に取り付けられていればよい。また、上記実施形態では、基台３が第１縁部材９に固定される一方、保護カバー５が他の縁部材１０〜１２に固定されているが、これを反対にすることもできる。すなわち、第１縁部材９を引っ張ったとき、保護カバー５が取り外されるようにしてもよい。この場合、基台３は他の３つの縁部材１０〜１２に固定され、この基台３上に展示物Ｍを配置した後、保護カバー５を第１縁部材９とともに、元の位置に戻せば図１（ａ）の状態になるため、上記実施形態と同様に、展示物の装着を簡単に行うことができる。
【００２０】
また、上記説明では、接続部材１３に溝１５を設け、この溝１５を押し広げることで、接続部材１３を縁部材９〜１２に取り付けているが、接続部材１３の構成はこれに限定されるものではなく、隣接する縁部材同士を着脱自在に接続できるような構成であれば、特には限定されない。
【００２１】
また、上記実施形態では、接続部材１３の一端部にのみ舌片１９を設けているが、両端部に設けることもできる。このようにすると、すべての縁部材９〜１２の両端に互いに向き合う舌片が配置されるので、接続部材１３を取り外すことなく、紐の位置を変えるだけで、額縁を飾る向きを変えることができる。また、一の舌片を接続部材の中央付近に設け、いずれの側の縁部材にも屈曲するようにすることもできる。
【００２２】
また、縁部材を構成する材料は特には限定されないが、軽量化のため、プラスチック等の合成樹脂やアルミニウム等で構成することが好ましい。
【図面の簡単な説明】
【００２３】
【図１】本発明の一実施形態に係る額縁の斜視図（ａ），及び分解斜視図（ｂ）である。
【図２】図１のＡ−Ａ線断面図である。
【図３】図１のＢ−Ｂ線断面図である。
【図４】図１のＣ−Ｃ線断面図である。
【図５】本発明に係る額縁に紐を取り付けた例を示す斜視図である。
【符号の説明】
【００２４】
１    額縁
３    基台
５    保護カバー
９    第１縁部材（一の縁部材）
１０〜１２  第２，第３，第４縁部材
１３  接続部材
１４  溝
１９ａ  孔
【図１】
2007021005.tif 000003
【図２】
2007021005.tif 000004
【図３】
2007021005.tif 000005
【図４】
2007021005.tif 000006
【図５】
2007021005.tif 000007